(57)【要約】本発明は、コンテンツプロバイダと受信ターミナルとの間で情報要素の流束を搬送するための、いくつかの相互接続されたノードから構成されるアクセスネットワークにおけるデータの一斉送信のための装置に関する。本発明は前記装置がネットワークの少なくとも１つのノードに設置されることを特徴とし、前記装置は、客観的基準またはさらに主観的基準に基づいてネットワークまたはノード４のオペレータによって環境設定されるノード８のプロファイルを管理する回路、および、一斉送信される情報要素をフィルタリングする、前記情報要素をフィルタリングするためにスイッチ５を制御するメカニズム６を含む。
2004527152.tif 000002
【特許請求の範囲】
【請求項１】
情報コンテンツプロバイダと受信機ターミナルとの間で情報項目のストリームを搬送するための複数の相互接続されたノードから構成されるアクセスネットワークにおいて情報を一斉送信するための装置であって、１つまたは複数のネットワークノードに据え付けられ、客観的基準またはさらに主観的基準に応じてネットワークのオペレータまたはノード（４）のオペレータによって環境設定されるノードプロファイル管理回路（８）、および、前記情報項目をフィルタリングするためにスイッチ（５）を制御する、一斉送信された情報項目をフィルタリングするためのメカニズム（６）を含むことを特徴とする一斉送信装置。
【請求項２】
前記一斉送信装置が据え付けられる前記ノードプロファイル管理回路（８）を主観的基準に応じて自動的に更新するために下流ノードプロファイルを合成するためのメカニズム（１０）をさらに含む請求項１に記載の一斉送信装置。
【請求項３】
フィルタリングされた情報項目を一時的に保存するためのキャッシュメモリ（７）、および、前記保存された情報項目を再伝送するためのメカニズム（９）をさらに含むことを特徴とする請求項１または２に記載の一斉送信装置。
【請求項４】
いかなるタイプのアクセスネットワークにも適用されることを特徴とする請求項１から３のいずれか一項に記載の一斉送信装置。
【請求項５】
移動体無線ネットワークアクセスネットワークに適用されることを特徴とする請求項１から４のいずれか一項に記載の一斉送信装置。
【請求項６】
空間セグメントを使用する移動体無線ネットワークアクセスネットワークに適用されることを特徴とする請求項１から５のいずれか一項に記載の一斉送信装置。
【発明の詳細な説明】
【技術分野】
【０００１】
本発明は、電気通信システムにおける最適な情報一斉送信（ｂｒｏａｄｃａｓｔｉｎｇ）のための装置に関する。
【０００２】
本発明の技術分野は、マルチメディア電気通信サービスの分野であり、特に、移動体からのインターネットアクセスは、本発明による一斉送信装置のための主要な可能性のある応用例である。
【０００３】
本発明は、電気通信ネットワークを介した関係者グループの改善された目標決定を介して情報宣伝活動の有効性を増加させることを求める一斉送信業者を対象とする。
【背景技術】
【０００４】
現在まで、電気通信ネットワークを介した情報の一斉送信は特定の技術に従っていた。それらの技術は、コンテンツプロバイダが伝送したいと希望する情報を、そのプロバイダがデータベースにおいて利用可能にしておく「引込み（ｐｕｌｌ）」技術を含む。顧客は、データベースのアドレスを見出した後にその情報にアクセスする。アドレスはポスタ、テレビ、ラジオ、または、他のコンテンツプロバイダに属する他のデータベースを使用する従来の広報宣伝活動の対象とすることができる。この技術は基本的にインターネット上で使用される。したがって、引込み技術は、ユーザが必要とする特定の情報にユーザがアクセスし、それによって、情報への良好な品質のアクセスを得ることを可能とする。情報はユーザによって為された選択の結果であるため、本来的に目標決定される。
【０００５】
しかし、各引込み技術は一斉放送には適さない。それらは、ネットワーク上で利用可能にされた情報の存在について、事前にユーザに知らせることを条件としてのみ使用することができる。したがって、たとえその伝送に関心を持つ人の数の割合が全体の人の数に比例して多いとしても、一斉送信の視聴者は少ない。
【０００６】
また、情報は「押出し（ｐｕｓｈ）」技術を使用しても一斉送信することができる。コンテンツプロバイダにとって、この技術は、そのプロバイダが伝送したいと希望する情報を広範に一斉送信することに含まれる。顧客は、無料にせよ支払いを条件とするにせよ、適切な受信機を介して一斉送信される情報にアクセスする。ラジオおよびテレビは押出し情報一斉送信技術の応用例の優れた例である。押出し技術は引込み技術に比較して帯域幅の占有を最小に抑えるが、同じ情報は、一般にネットワークの特定のノードに１回だけ搬送されるため、ユーザに利用可能となる情報の品質は引込み技術を使用して得られるものと比較して非常に貧弱である。伝送される情報は、ユーザが関心を持つ分野の演繹的な目標決定に対応し、この種の通信チャンネルを介して情報を受信する人物はその人物が必ずしも関心を持つわけではない大量の情報に直面する。
【０００７】
したがって、ユーザが関心を持つ分野を指定するための選択装置がユーザに対して利用可能とされる。国際公開ＷＯ  ００／２３８６４号パンフレットは、広告代理店による使用を意図され、それらが、個々の個人のプロファイルを規定する仕様を有する顧客に情報を送出することを可能にする装置に関する。しかし、この装置は、情報を一斉送信するためのユーザを事前に知ることを必要とする。
【０００８】
衛星移動体無線システムを含む移動体インターネットおよび次世代移動体無線ネットワークの到来は、高性能を提供する情報一斉送信用メカニズムの据え付けを必要とする。
【発明の開示】
【発明が解決しようとする課題】
【０００９】
したがって、本発明が解決を目指す問題は、広告業者が責任を持つ情報を、人たちのうちの最もよく受け入れてくれる部分に対して広告業者が指し向けることを可能にする一方で、従来技術の一斉送信技術の短所を軽減する情報一斉送信装置を提供するという問題である。特に、本発明による装置は、帯域幅の点、および、全体の人の数に対する関心を持つ人の数の比の点でより効率的であることを意図している。
【課題を解決するための手段】
【００１０】
この目的のために、本発明は、情報の一斉送信を最適化するために、対象とする人たちのプロファイルにさらに緊密に対応するプロファイルを持つユーザに情報の一斉送信の方向を定めるためにユーザのプロファイルを考慮し、かつ、情報を伝送する費用を最小に抑えるためにネットワークにかかる負荷も考慮する。
【００１１】
したがって、受信の際の単純なフィルタリングの目的で、一斉送信する情報の各項目は、一斉送信の基準および経路決定の制約に関連する。
【００１２】
したがって、フィルタリングは地理的な位置、気候、言語などの客観的基準に基づいて行われる。フィルタリングは、職業状況、レジャー活動、ユーザの関心などの主観的基準に基づくこともできる。
【００１３】
これらの基準は、ネットワークの出力ノードに接続されたユーザのプロファイルを合成することによって確立される。したがって、いくつかの場合では、主観的基準が一時的に客観的基準となることもできる。これは、特にネットワークの出力ノードに接続された各ユーザが主観的な１つの基準に対応する同じ特徴を有する状況に適用される。
【００１４】
さらに、本発明による一斉送信装置において、ネットワークの特定のノードにキャッシュメモリを提供することは、ネットワークにかかる負荷の格差の最適利用を可能にする。
【００１５】
したがって、本発明は、コンテンツプロバイダと受信機ターミナルとの間で情報項目のストリームを搬送するための複数の相互接続されたノードから構成されるアクセスネットワークにおいて情報を一斉送信するための装置であって、１つまたは複数のネットワークノードに据え付けられ、客観的基準またはさらに主観的基準に応じてネットワークのオペレータまたはノードのオペレータによって環境設定されるノードプロファイル管理回路、および、前記情報項目をフィルタリングするためにスイッチを制御する、一斉送信された情報項目をフィルタリングするためのメカニズムを含むことを特徴とする装置に関する。
【００１６】
本装置の他の特徴は、前記一斉送信装置が据え付けられるノードプロファイル管理回路を主観的基準に応じて自動的に更新するために、本装置が下流ノードプロファイルを合成するためのメカニズムをさらに含むことである。
【００１７】
他の特徴によれば、本装置は、フィルタリングされた情報項目を一時的に保存するためのキャッシュメモリ、および、前記保存された情報項目を再伝送するためのメカニズムをさらに含む。
【００１８】
本発明による装置は、いかなるタイプのアクセスネットワークにも適用されることを特徴とする。
【００１９】
中でも、本発明による装置は、移動体無線ネットワークアクセスネットワークに適用されることを特徴とする。
【００２０】
本装置は、空間セグメントを使用する移動体無線ネットワークアクセスネットワークにも適応できる。
【００２１】
本発明の他の特徴および長所は、添付の図面を参照して与える１つの実施形態の以下の説明を読むと、よりはっきりと明らかになる。
【発明を実施するための最良の形態】
【００２２】
図１は、アクセスネットワークの入力ノード、出力ノード、または、中間ノードとすることができるアクセスネットワークノードにおける本発明による装置の据え付けを示す。
【００２３】
アクセスネットワークは、各々が複数の相互接続されたノードから構成される複数の枝路を含む。したがって、装置は、アクセスネットワークの複数の枝路内およびアクセスネットワークの枝路の複数の相互接続されたノード内に据え付けることができる。したがって、本発明による装置を１つまたは複数のアクセスネットワークノードに据え付けることが考えられる。
【００２４】
図１において、情報の最適化された一斉送信のための装置が据え付けられるネットワークのノード１は、その上流側の他のネットワークノード２およびその下流側の１つまたは複数のさらなるネットワークノード３に接続される。ノード１を環境設定または解析するために、オペレータ４がノード１に管理設備を接続する選択肢を有する。
【００２５】
ノード１は上流ノード２から入来する情報のストリームを入力として受信する。
【００２６】
本発明の１つの実施形態において、下流ノード１０のプロファイルを合成するためのノード１におけるメカニズムは、各下流ノードのプロファイルに関する情報を入力として受信する。にもかかわらず、ノード１の合成メカニズム１０を活性化しないこと、および、据え付けないことも選択肢である。
【００２７】
この特定の実施形態において、下流ノードのプロファイルに関する情報は、下流ノード３からノード１にフィードバックされる。
【００２８】
各下流ノードのプロファイルを合成するメカニズム１０は、ノードプロファイルを管理するために回路８に合成の結果を供給し、この回路もネットワークオペレータ４によって環境設定される。本装置が据え付けられるノード１は、ノードプロファイル管理回路８によって確立されるノードプロファイル、ならびに、情報のストリームにおける情報項目に関連する一斉送信の基準および経路決定の制約を入力として受信するフィルタメカニズム６をさらに含む。
【００２９】
フィルタメカニズム６はキャッシュメモリ７に情報項目を保存するためにスイッチ５を制御する。再伝送メカニズム９は、保存された情報項目を下流ノード３に再伝送するためにノード１内に設けられる。
【００３０】
再伝送メカニズム９は、ノード１に入来する情報のストリームに関連するコマンドに応じて動作する。したがって、本発明による装置が据え付けられるノード１は、従来のアクセスネットワークノードに比較して多くの補足的な機能が設けられている。
【００３１】
したがって、本発明による一斉送信装置はこのノードのプロファイルを特徴付けることができる。ノードのプロファイルの特徴付けは、特にノードプロファイルを管理するための回路８の手段によって達成される。回路８は、ネットワークのオペレータ４またはノードのオペレータによって環境設定される。
【００３２】
さらに、図１の例において、下流ノード３のプロファイルは、ネットワークにフィードバックされ、各下流ノードのプロファイルを合成するためのメカニズムにおいて処理される。
【００３３】
続いて、この処理の結果はノードプロファイル管理回路８に供給される。ノードのプロファイルの自動更新は、下流ノードのプロファイルが可変の構成要素（典型的に、主観的基準）を統合する時に予想することができる。
【００３４】
したがって、ノードのプロファイルの特徴付けは、下流ノード合成装置１０によってリアルタイムで更新することができる。
【００３５】
したがって、本発明による一斉送信装置は、客観的基準、可能であればさらに主観的基準に従って、一斉送信される情報のストリームにフィルタリングを適用することができる。
【００３６】
客観的基準は、地理的な位置、周囲の活動領域のタイプ、典型的な気候、主たる言語、何月か、何曜日か、何時かなどを含む。
【００３７】
一斉送信される情報のストリームをフィルタリングするために使用される客観的基準の上記リストは、単に例として与えられ、本発明の範囲をいかなる方法でも限定しない。
【００３８】
主観的フィルタリングの基準は、例えば、個人および家族の身分、職業、レジャー活動、関心などを含む。再び、このリストは本発明をいかなる方法でも限定せず、単に例として与えられている。
【００３９】
ノード１に受信された情報項目のフィルタリングは、情報項目に関連する一斉送信の基準とノードのプロファイルの基準の比較に基づく。一致する場合、情報項目はキャッシュメモリ内に保持される。一致しなければ、情報項目は廃棄される。
【００４０】
したがって、情報は、情報項目の形にセグメント化された方法で一斉送信される。１つの情報項目は、１つのみまたは少数のテーマを扱う。扱われる各テーマに対して、その情報項目に関連し、それの一斉送信基準、および、ユーザへのその情報の経路決定における時間遅延に関する制約を指定するヘッダがある。
【００４１】
したがって、情報のストリームの各情報項目は、これを特徴付ける情報に関連する。これは、特に、経路決定の時間遅延の制約を指定する情報、および、客観的基準またはさらに主観的基準に従った情報のストリームのフィルタリングのための情報を含む。最低限、一斉送信の地理的領域は、例えば中心および直径によって特徴付けられる円盤として指定することができる。
【００４２】
したがって、フィルタメカニズム６はノードプロファイル管理回路８からプロファイルの基準、および、情報の特徴付けを可能にする与えられた情報項目に関連する情報を入力として受信する。
【００４３】
したがって、ノードプロファイル管理回路８によって決定されたノード１のプロファイルがノード１に入来する情報ストリームの情報項目に関連し、かつ、情報項目のヘッダに含まれる一斉送信基準に従う時、フィルタメカニズム６は、情報項目をメモリ内に保持するようにスイッチ５に命令する。この目的のために、ノード１には、一斉送信情報のいくらかを保持するためのキャッシュメモリ７が設けられる。例えば、指示された地理的領域に設置されたアクセスネットワークの各出力ノードは、そのキャッシュメモリ内に一斉送信情報を保持しなければならない。
【００４４】
最後に、本発明による装置は、キャッシュメモリ７に保存された情報項目を再伝送するためのメカニズム９をさらに含む。本装置が据え付けられるネットワークのノード１におけるキャッシュメモリ７の存在は、情報が、ネットワークにかかる負荷が小さい期間中に一斉送信されることを可能にするという長所を有する。
【００４５】
一斉送信される各情報項目は、これを特徴付ける情報、特に、上記に説明したように客観的基準またはさらに主観的基準に従ったフィルタリングを可能にする情報に関連する。
【００４６】
一斉送信される情報項目のストリーム内の各項目も、例えば、再伝送および／または経路決定の時間帯、または、さらに一斉送信の反復頻度などのユーザターミナルへの情報の経路決定における遅延に関する制約を指定するための再伝送コマンドに関連する。したがって、再伝送メカニズム９は、受信された情報項目に関連する再伝送コマンドに応じて再伝送のタイプを決定する。
【００４７】
したがって、本装置が据え付けられるネットワークのノード１には、一斉送信の受信可能領域における下流ノードへのネットワークにおける情報の最適一斉送信のための特定の手段が設けられる。
【００４８】
本発明の他の実施形態において、最適化された情報一斉送信のための装置は、キャッシュメモリ７なしで、かつ、再伝送メカニズム９もなしで、アクセスネットワークの１つまたは複数のノードに据え付けることができる。したがって、本発明による装置は、客観的基準またはさらに主観的基準に応じてネットワークのオペレータまたはノード４のオペレータによって環境設定されるノードプロファイル管理回路８、および、情報項目をフィルタするためにスイッチ５を制御する、一斉送信される情報項目をフィルタリングするためのメカニズム６のみを含む。
【００４９】
この環境設定において、本装置は、受信される情報項目をこの装置が据え付けられているノードのプロファイルの基準に応じてフィルタリングし、続いて、ネットワーク負荷の小さい期間、または、ユーザへの情報の経路決定における遅延に関連する制約を考慮に入れずに、一斉送信の基準がノードのプロファイルの基準に対応する情報項目を、受信可能領域にある下流ノードに直接に再伝送する。
【００５０】
もし情報項目を一斉送信するための基準がノードのプロファイルの基準に対応していないなら、フィルタメカニズム６は、その情報項目を廃棄するためにスイッチ５に命令する。
【００５１】
にもかかわらず、本装置が据え付けられるノードプロファイル管理回路８を主観的基準に応じて自動的に更新するために、本装置は、下流ノードのプロファイルを合成するためのメカニズム１０をさらに含むことができる。
【００５２】
もし情報の最適化された一斉送信のための本装置が移動体無線ネットワークへのアクセスネットワークに適用されたなら、アクセスネットワークは２つのタイプのノード、すなわち、基地局コントローラノードおよび基地局ノードを含む。
【００５３】
本発明による装置は、基地局ノード、例えば、すなわち、ネットワーク出力ノードに据え付けることができる。したがって、図１に示すように、下流ノードはユーザターミナルであり、上流ノードは基地局コントローラである。
【００５４】
したがって、本発明による装置が使用される１つまたは複数の基地局によって網羅されるユーザのグループは、ユーザが必要とするプログラムに適合されたプログラムという利益を有する。ユーザに対して利用可能にされた情報項目が、好ましくは目標決定される。なぜなら、それらは、関係するノードによって網羅される環境、または、ノードに接続されているユーザのプロファイルに関連する合成された特徴にさえ基づいているからである。
【００５５】
本発明による装置は、基地局コントローラ、すなわち、アクセスネットワーク入力ノードにも据え付けることができる。したがって、下流ノードは基地局に対応し、上流ノードは移動無線ネットワークの中核ネットワークのノードに対応する。
【００５６】
情報の最適化一斉送信のための本発明による装置は、衛星アクセスネットワークにも適用することができる。衛星アクセスネットワークは主に３つのタイプのノードを含む。すなわち、衛星ゲートウエイ、衛星自体、および、最後に衛星ターミナルである。したがって、本発明による一斉送信装置は、空間セグメントの空気インターフェイスの能力にかかる負荷を考慮するために、衛星ゲートウエイに有利に据え付けることができる。他の実施形態において、本装置は衛星またはターミナルに据え付けることができる。
【００５７】
情報の最適化された一斉送信のための本装置は、衛星アクセスネットワークが基地局コントローラと、基地局もしくは基地局コントローラの上流、または、基地局の下流との間に挿入される移動体無線ネットワークへのアクセスネットワークに適用することもでき、この場合、衛星ターミナルおよび移動体ターミナルは１つかつ同じとすることができる。したがって、空間セグメントが使用される。したがって、本装置は、基地局コントローラ、衛星ゲートウエイ、衛星自体、衛星ターミナル、または、基地局に随意に据え付けることができる。本装置は、基地局コントローラに好ましくは据え付けられる。
【００５８】
一般的に言えば、本装置は、いかなるタイプのアクセスネットワークにも据え付けることができる。
【００５９】
したがって、ユーザに対して利用可能にされた情報が完全に目標とされるため、本発明による装置は情報の一斉送信を最適化する。本装置は、フィルタ装置を追加すること、および、恐らく情報のストリームを一時的に保存するための装置、ならびに、再伝送装置を追加することによる、ネットワークのいくつかのノードの改変を必要とする。
【図面の簡単な説明】
【００６０】
【図１】アクセスネットワークノードにおける本装置の据え付けを示す図である。
【図１】
2004527152.tif 000003
【国際公開パンフレット】
2004527152.tif 000004
2004527152.tif 000005
2004527152.tif 000006
2004527152.tif 000007
2004527152.tif 000008
2004527152.tif 000009
2004527152.tif 000010
2004527152.tif 000011
2004527152.tif 000012
2004527152.tif 000013
2004527152.tif 000014
2004527152.tif 000015
2004527152.tif 000016
2004527152.tif 000017
2004527152.tif 000018
2004527152.tif 000019
2004527152.tif 000020
2004527152.tif 000021
【国際調査報告】
2004527152.tif 000022
2004527152.tif 000023
2004527152.tif 000024
2004527152.tif 000025
2004527152.tif 000026
2004527152.tif 000027